【手続補正書】
【提出日】平成19年1月19日(2007.1.19)
【手続補正１】
【補正対象書類名】明細書
【補正対象項目名】特許請求の範囲
【補正方法】変更
【補正の内容】
【特許請求の範囲】
【請求項１】  ａ）支持基材１６と、
ｂ）表面が屈曲するのを防止するためにほぼ剛性の材料からなり前記支持基材上に形成された複数のキューブコーナの表面１８と、
ｃ）前記表面に形成された光学コーティング２０と、
ｄ）前記光学コーティングの少なくとも一部を覆う充填層３２とを備え、
前記光学コーティングが前記充填層に入射する光を再帰反射する再帰反射性シート１４。
【請求項２】  請求項１において、前記光学コーティング２０が鏡面コーティングを含むシート。
【請求項３】  請求項１において、前記光学コーティング２０が低屈折率誘電体材料を含むシート。
【請求項４】  請求項３において、屈折率が１．１〜１．３の間の範囲にあるシート。
【請求項５】  請求項１において、前記ほぼ剛性の材料が熱可塑性および熱硬化性ポリマから成るグループから選択されているシート。
【請求項６】  請求項５において、前記ポリマがガラス、黒鉛、ポリマおよび金属から成るグループから選択される充填材を含むシート。
【請求項７】  請求項１において、前記充填層が電気光学的な組成物であるシート。
【請求項８】  請求項７において、前記充填層３２の上に上面支持シート３８をさらに含み、前記上面支持材が導電性であって、電荷を前記上面支持シートと前記光学コーティング２０との間で通過させるシート。
【請求項９】  請求項８において、前記上面支持シート３８がトランジスタパターンを含むシート。
【請求項１０】  請求項７において、さらに、前記充填層の上に上面支持シート３８を含み、前記上面支持シートは導電性であり、前記開放面キューブコーナ表面の下に底面支持シート１６を含み、前記底面支持シートもまた導電性を持ち、電荷を上面支持シートと底面支持シートとの間で通過させるシート。
【請求項１１】  請求項１において、複数の空所２４が前記開放面キューブコーナ表面１８に形成されているシート。
【請求項１２】  請求項１において、前記表面の少なくとも一部の上にカラーコーティング４２をさらに備えているシート。
【請求項１３】  請求項１において、充填層３２がほぼ光透過性であるシート。
【請求項１４】  請求項１３において、前記充填層をカバーするトップコーティング４８をさらに備えているシート。
【請求項１５】  請求項１３において、前記充填層３２が１．５〜１．６５の範囲の屈折率を持つシート。
【請求項１６】  請求項１において、前記充填層３２が１，０００センチポアズ以下の塗布粘度を持つシート。
【請求項１７】  請求項１において、前記シートがチップ５０に形成されているシート。
【請求項１８】  請求項１において、再帰反射性キューブコーナ表面１８の第２層が前記支持基材１６上の裏面に形成され、その結果、再帰反射性開放面キューブコーナ表面の第１層と再帰反射性キューブコーナ表面の第２層が裏面同士で接合し、それぞれの表面が互いに離れる方向を向いているシート。
【請求項１９】  請求項１８において、前記支持基材はその上に裏面同士で接合する再帰反射性シートを持つチップ５０に切断可能であるシート。
【請求項２０】  請求項１において、前記再帰反射性シート上にキューブコーナ表面１８を持たないパターン２４をさらに備えているシート１４。
【請求項２１】  請求項２０において、
前記キューブコーナ表面１８が支持基材１６上に形成され、
前記パターンが前記再帰反射性シート内に前記支持基材上からプリズムの頂部に延びる壁を形成し、その壁の厚みが２５．４〜１，２７０ミクロン（０．００１から０．０５インチ）の範囲内にあるシート。
【請求項２２】  請求項１の再帰反射性シートを含む投影スクリーン８４。
【請求項２３】  ａ）支持基材１６と、
ｂ）キューブコーナの表面１８を形成する複数の３面くぼみであって、前記キューブコーナが、屈曲するのを防止するためにほぼ剛性の材料からなり前記支持基材上に形成されている３面くぼみと、
ｃ）前記３面くぼみ上に形成された反射コーティング２０と、
ｄ）前記反射コーティングの少なくとも一部を覆う充填層３２とを備え、
前記反射コーティングが前記充填層に入射する光を再帰反射する再帰反射性シート１４。
【請求項２４】  請求項２３において、前記充填層３２が約１．５〜１．６５の範囲の屈折率を持つシート。
【請求項２５】  請求項２３において、前記充填層３２をカバーするトップコーティング４８を備えているシート。
【請求項２６】  請求項２３において、前記キューブコーナ表面１８が支持基材１６上に形成されているシート。
【請求項２７】  請求項２６において、再帰反射性キューブコーナ表面の第２層が前記支持基材１６上の裏面に形成され、その結果、再帰反射性開放面キューブコーナ表面の第１層と再帰反射性キューブコーナ表面の第２層が裏面同士で接合し、それぞれの表面が互いに離れる方向を向いているシート。
【請求項２８】  請求項２３において、前記再帰反射性シート１４内にキューブコーナ表面を持たないパターン２４をさらに備えているシート。
【請求項２９】  ａ）支持基板１６と、
ｂ）その中に複数のキューブコーナの表面を持つポリマ構造体であって、前記キューブコーナが、屈曲するのを防止するためにほぼ剛性の材料からなり前記支持基材上に形成されているポリマ構造体１８と、
ｃ）前記表面に形成された金属層と、
ｄ）前記金属層の少なくとも一部をカバーし、かつ摂氏−２０℃から８０℃の間の低いガラス転移温度を持つほぼ光透過性の充填層３２とを備え、
前記金属層が充填層に入射した光を再帰反射する再帰反射性シート１４。
【請求項３０】  請求項２９において、前記充填コーティングが約１．５〜１．６５の範囲の屈折率を持つシート。
【請求項３１】  ａ）支持フィルム１６上に、ほぼ剛性の材料からなる複数のキューブコーナを形成することによりキューブコーナの表面１８の屈曲を防止し、
ｂ）前記表面上に鏡面コーティング３０を形成し、
ｃ）前記鏡面コーティングの少なくとも一部に充填層３２を取付け、
ｄ）前記充填層に入射した光を前記鏡面コーティングにより再帰反射することを含む再帰反射性シート１４を形成する方法。
【請求項３２】  請求項３１において、前記支持フィルム１６上の裏面に再帰反射性キューブコーナ表面１８の第２層を形成し、その結果、再帰反射性開放面キューブコーナ表面の第１層と再帰反射性キューブコーナ表面の第２層が裏面同士で接合し、それぞれの表面が互いに離れる方向を向くようにするステップをさらに含む方法。
【請求項３３】  請求項３１において、前記支持フィルム１６上に前記キューブコーナ表面１８を連続的に形成するステップをさらに含む方法。
【請求項３４】  請求項３１において、前記シートをチップ５０に形成するステップをさらに含む方法。
【請求項３５】  請求項３１において、前記充填層３２の上にトップコーティング４８を形成するステップをさらに含む方法。
【請求項３６】  請求項３１において、前記表面の少なくとも一部の上にカラーコーティング４６を形成するステップをさらに含む方法。
【請求項３７】  請求項３１において、前記充填層３２が約１，０００センチポアズ以下の塗布粘度を持つ材料を含む方法。
【請求項３８】  請求項３１において、キューブコーナープリズムを持つ従来の再帰反射性シート１４の裏面にキューブコーナ表面を形成するステップをさらに含み、前記キューブコーナ表面およびキューブコーナプリズムが互いに離れる方向を向いている方法。
【請求項３９】  ａ）３組の溝を形成することにより成形型を形成し、前記溝は一定の角度で交差して複数のプリズムを形成し、各プリズムはベースと頂点で交わる３つの交差側面１８を持ち、
ｂ）成形型上で再帰反射性シートを形成することにより成形型の鏡像を形成し、得られたシートがキューブコーナ表面を形成する複数の３面くぼみを含み、前記キューブコーナを、その表面が屈曲するのを防止するためにほぼ剛性の材料により形成し、
ｃ）前記キューブコーナを支持基板１６上に形成し
ｄ）前記キューブコーナの表面を光学コーティング２０を用いてコーティングし、
ｅ）前記光学コーティングの少なくとも一部を充填層３２で覆う、
ことを含む開放面再帰反射性シート１４を形成する方法。
【請求項４０】  キューブコーナ表面の上に光学コーティング２０を持ち、前記キューブコーナは、その表面が屈曲するのを防止するためにほぼ剛性の材料により形成されている再帰反射性チップ５０。
【請求項４１】  請求項４０において、第１キューブコーナ表面の裏面に積層された第２キューブコーナ表面をさらに備え、この第２キューブコーナー表面の上に前記光学コーティングである鏡面コーティング２０を有し、前記それぞれの表面が互いに離れる方向を向いている再帰反射性チップ。
【請求項４２】  請求項４０において、前記表面の少なくとも一部にカラーコーティング４６をさらに備えている再帰反射性チップ。
【請求項４３】  請求項４０において、前記光学コーティング２０の少なくとも一部に取付けられた充填層３２をさらに備え、前記充填層が約１．５〜１．６５の範囲の屈折率を持つ再帰反射性チップ。
【請求項４４】  請求項４０において、前記キューブコーナ表面１８がチップ上に各種のサイズの表面を含んでいる再帰反射性チップ５０。
【手続補正２】
【補正対象書類名】明細書
【補正対象項目名】０００２
【補正方法】変更
【補正の内容】
【０００２】
従来のキューブコーナプリズムは、頂点で交差する３つの表面を持つベースを有する。図１に示されるように、プリズムの方向は、光線Ｒがベース１０を通って入射し、３つの表面１２で再帰反射されるように決められている。これには、プリズムが多量の光を透過させる材料から形成される必要がある。したがってプリズム材料は、この物性を持つ材料に限定される。不利な点として、これらの材料は、紫外（UV）線、可視光線および／または熱劣化の影響を受け易く、性能低下を引き起こすことが知られている。
Lemelsonの米国特許４，１２７，９６３は、型成形、押出し成形、またはアンボス成形されたプラスチックやガラスに、空洞のような複数の不規則な表面が形成されたり、不規則な表面を持つ短いまたは細長い突起が形成されたり、あるいは、そのような不規則な表面にゴミや埃が集まって遮光材となり、実質的に反射板または表示器の効率を低下させることについて開示している。
Nilsen et al.の米国特許５，６５７，１６２は、再帰反射性シートの構成や、再帰反射性および非再帰反射性の表面の大きさがプリズムの列に沿って変化することについて開示している。
Phillipsの米国特許５，６４２，２２２はプリズム素子を有する再帰反射構造体や、その製造方法について開示している。